(57)【要約】      （修正有）【課題】組立体が安定化し、絶縁本体のがたつきを防止できる電気コネクタを提供する。【解決手段】基部、及び前記基部から前向きに延出する舌片を有する絶縁本体１と、向かい合せに組み合わされた第一本体２及び第二本体３と、前記第一本体及び第二本体の間に保持される固持部、該固持部の一端から延出して前記舌片に露出する接触部、並びに前記固持部の他端から前記第一本体側及び前記第二本体側に向かって突出する半田部を有する導電端子４とを備える電気コネクタにおいて、前記絶縁本体の基部が前記第一本体と前記第二本体との間に挟まれて保持されることを特徴とする。【選択図】図３
0003170879.tif 000002
【実用新案登録請求の範囲】
【請求項１】
基部、及び前記基部から前向きに延出する舌片を有する絶縁本体と、
向かい合せに組み合わされた第一本体及び第二本体と、
前記第一本体及び第二本体の間に保持される固持部、前記固持部の一端から延出して前記舌片に露出する接触部、並びに前記固持部の他端から前記第一本体側及び前記第二本体側に向かって突出する半田部を有する導電端子と、
を備える電気コネクタにおいて、
前記絶縁本体の基部が前記第一本体と前記第二本体との間に挟まれて保持されることを特徴とする電気コネクタ。
【請求項２】
前記第一本体は前記第二本体に向かい合う第一内壁を備え、前記第二本体は前記第一内壁に対向する第二内壁を備え、前記第一内壁に第一保持溝が凹んで形成され、前記第二内壁に前記第一保持溝に対向する第二保持溝が凹んで形成され、前記絶縁本体の基部は、前記第一保持溝と第二保持溝に挟まれて収容されると共に前記舌片の外側に突出する位置決め板を有することを特徴とする請求項１に記載の電気コネクタ。
【請求項３】
前記第一保持溝及び前記第二保持溝の端縁の内壁には、通孔が貫通するように形成され、前記位置決め板には、前記通孔に係合するための係合アームが延出するように形成されることを特徴とする請求項２に記載の電気コネクタ。
【請求項４】
前記係合アームは前記位置決め板の四隅に設けられ、前記係合アームの末端に係止部が形成され、前記第一本体と前記第二本体との前記通孔の内壁には、前記係止部を保持するための係合凸部が設けられることを特徴とする請求項３に記載の電気コネクタ。
【請求項５】
前記第一本体の前記第一内壁に第一収容溝が凹んで形成され、前記第二本体の前記第二内壁に第二収容溝が凹んで形成され、
前記導電端子は、前記固持部が前記第一収容溝に保持される第一端子列と、前記固持部が前記第二収容溝に保持される第二端子列とを備え、
前記第一本体の前記第一内壁には、前記第二収容溝にそれぞれ収容されて前記第二端子列の前記固持部に当接する第一凸部が設けられ、
前記第二本体の前記第二内壁には、前記第一収容溝にそれぞれ収容されて前記第一端子列の前記固持部に当接する第二凸部が設けられることを特徴とする請求項２乃至４の何れか１項に記載の電気コネクタ。
【請求項６】
前記第一凸部と前記第二凸部とは、前記導電端子の前記固持部の両端に隣接して互い違いに配置されることを特徴とする請求項５に記載の電気コネクタ。
【請求項７】
前記第一内壁には、前記第一保持溝から前向きに延出して前記第一本体の先端を貫通する第一凹部が形成され、前記第二内壁には、前記第二保持溝から前向きに延出して前記第二本体の先端を貫通する第二凹部が形成され、前記第一凹部の深さは、前記第一保持溝より浅くて、前記第二凹部の深さは、前記第二保持溝より浅くて、前記舌片の後端縁が前記第一凹部と前記第二凹部との間に収容されることを特徴とする請求項２乃至６のいずれかの１項に記載の電気コネクタ。
【請求項８】
前記第一本体及び前記第二本体のうちの何れか一方の本体には、前記第一本体及び前記第二本体のうちの他方の本体へ向かって突出する弾性アームが形成され、前記弾性アームには係合部が形成され、
前記他方の本体には、前記弾性アームを収容するための受入部が形成され、前記受入部には、前記弾性アームの前記係合部に係合して前記第一本体と前記第二本体とを組み合わせるためのロック部が形成されることを特徴とする請求項１乃至７のいずれかの１項に記載の電気コネクタ。
【考案の詳細な説明】
【技術分野】
【０００１】
本考案は、電気コネクタに関して、特に、高速データ通信を容易にする電気コネクタに関する。
【背景技術】
【０００２】
従来技術の電気コネクタは、特許文献１に示すように、先端側の絶縁本体と、絶縁本体の後側に配設された第一本体及び第二本体と、複数の導電端子と、絶縁本体、第一本体及び第二本体を覆う金属板からなるシェルとを備える。絶縁本体は、基部と、基部から前向きに延出する舌片とを有し、基部の後端に保持孔が形成されている。前記第一本体のうち、絶縁本体の基部に対向する先端壁には、前記保持孔に対応する第一ポストが突出するように設けられ、第一ポストが保持孔に係合することにより絶縁本体が前記第一本体に保持される。前記第二本体と第一本体とは対向するように配置され、第二本体の第二ポストが第一本体の固定孔に係合することにより、第二本体が前記第一本体に保持される。
【先行技術文献】
【特許文献】
【０００３】
【特許文献１】台湾実用新案公告第Ｍ３８１１８７号明細書
【考案の概要】
【考案が解決しようとする課題】
【０００４】
しかしながら、前記絶縁本体は、第一ポストと保持孔に係合することによって、第一本体だけに保持されており、第二本体との間に係合されていないので、絶縁本体と第一本体と第二本体との組立体が安定せず、絶縁本体ががたつく虞があり、電気コネクタの安定性が低下している。
【０００５】
本考案は、組立体が安定し、絶縁本体のがたつきを防止できる電気コネクタを提供することを目的とする。
【課題を解決するための手段】
【０００６】
本考案は、基部、及び前記基部から前向きに延出する舌片を有する絶縁本体と、向かい合せに組み合わされた第一本体及び第二本体と、前記第一本体及び第二本体の間に保持される固持部、前記固持部の一端から延出して前記舌片に露出する接触部、並びに前記固持部の他端から前記第一本体側及び前記第二本体側に向かって突出する半田部を有する導電端子と、を備える電気コネクタにおいて、前記絶縁本体の基部が前記第一本体と前記第二本体との間に挟まれて保持されることを特徴とする。
【考案の効果】
【０００７】
従来技術に比べ、本考案の電気コネクタは以下の利点を有し、電気コネクタの絶縁本体の基部が前記第一本体と第二本体との間に挟まれて保持されることによって、絶縁本体と第一本体と第二本体との組立体が安定化し、絶縁本体のがたつきを防止でき、電気コネクタの安定性を向上させることができる。
【図面の簡単な説明】
【０００８】
【図１】本考案に係る電気コネクタの組立斜視図である。
【図２】図１に示す電気コネクタのほかの角度から見た組立斜視図である。
【図３】本考案に係る電気コネクタのシェルと絶縁本体を外した部分の組立斜視図である。
【図４】本考案に係る電気コネクタの部分の組立斜視図である。
【図５】本考案に係る電気コネクタの分解斜視図である。
【図６】図５に示す電気コネクタのほかの角度から見た分解斜視図である。
【考案を実施するための形態】
【０００９】
以下、図１〜図６を参照すると、本考案の電気コネクタ１００の実施形態について、添付図面を参照して説明する。電気コネクタ１００は、回路基板（図示せず）に実装されるＤｉｓｐｌａｙＰｏｒｔ用の直立式のソケットコネクタである。電気コネクタ１００は、絶縁本体１と、絶縁本体１の後側に配設された第一本体２及び第二本体３と、複数の導電端子４と、絶縁本体１、第一本体２及び第二本体３を覆っている金属板製のシェル５とを備える。
【００１０】
絶縁本体１は、基部１１と、基部１１から前向きに延出する舌片１２とを有し、前記舌片１２は第一壁１２１と第二壁１２２とを有し、前記第一壁１２１の上下端縁に同一方向に突出した凸状リブ１２３が垂直に突設されている。前記第一壁１２１及び第二壁１２２には、前記複数の導電端子４を収容するための端子溝１２４がそれぞれ形成されている。基部１１の周囲には、前記舌片１２の外側に突出する位置決め板１１１がそれぞれ延出するように配置され、前記端子溝１２４が前記位置決め板１１１を貫通することで位置決め板１１１に通溝１１４が形成されている。また、位置決め板１１１の四隅に舌片１２の厚さ方向に沿って突出した係合アーム１１２がそれぞれ形成され、各係合アーム１１２の末端に係止部１１３が突設されている。
【００１１】
前記第一本体２と第二本体３とは、前記舌片１２の厚さ方向に沿って対向するように配置されている。第一本体２は、第二本体３に対向する第一内壁２１と、第一内壁２１から第二本体３側に向かって突出する複数の第一凸部２２と、第一内壁２１からそれぞれ凹んで設けられる第一凹部２３、第一保持溝２４及び複数の第一収容溝２５と、を有する。前記第一凹部２３は、第一本体２を前向きに貫通するように配設され、第一保持溝２４は、第一凹部２３に隣接するように配設され、前記第一凹部２３の深さが第一保持部２４より浅くなっている。第一収容溝２５は第一本体２を下向きに貫通して、第一保持溝２４が第一凹部２３及び第一収容溝２５に連通されている。複数の第一凸部２２は、第一内壁２１の先端部分と下端部分にそれぞれ配設された二組を有し、各第一凸部２２が複数の第一収容溝２５同士の間に配置されている。第一内壁２１の後端には、第二本体３側へ向かって突出する弾性アーム２７と、弾性アーム２７から突出する係合部２８とが形成される。
【００１２】
第二本体３は、第一本体２の第一内壁２１に対向する第二内壁３１と、第二内壁３１から第一本体側へ向かって突出する複数の第二凸部３２と、第二内壁３１からそれぞれ凹んで設けられる第二凹部３３、第二保持溝３４及び複数の第二収容溝３５と、を有する。前記第二凹部３３は、第二本体３を前向きに貫通するように配設され、第二保持溝３４は、第二凹部３３に隣接するように配設され、前記第二凹部３３の深さが第二保持部３４より浅くなっている。第二収容溝３５は第二本体３を下向きに貫通して、第二保持溝３４が第二凹部３３及び第二収容溝３５に連通されている。複数の第二凸部３２は、第二内壁３１の先端部分と下端部分にそれぞれ配設された二組を有し、各第二凸部３２が複数の第二収容溝３５同士の間に配置されている。第二内壁３１の後端には、第一本体２の弾性アーム２７を収容するための受入部３７が凹んで形成され、受入部３７の内壁に前記第一本体２の係合部２８に係合するためのロック部３８が形成され、これにより、第一本体２と第二本体３とが安定して係合される。
【００１３】
舌片１２の厚さ方向で、前記第一凸部２２と第二凸部３２とは互い違いに配置され、前記第一収容溝２５と第二収容溝３５とも互い違いに配置され、前記第一保持溝２４と第二保持溝３４とは向かい合って連通するように配置され、絶縁本体１の位置決め板１１１が前記第一保持溝２４及び第二保持溝３４に保持される。舌片１２の後端縁は、前記第一凹部２３と第二凹部３３との間に収容され、また、前記第二凹部３３の内壁には、舌片１２の凸状リブ１２３を収容するための溝部３３４が設けられる。前記第一本体２及び第二本体３には、前記第一保持溝２４及び第二保持溝３４の上下縁からそれぞれ貫通して形成される通孔２６、３６がそれぞれ設けられ、通孔２６、３６に前記絶縁本体１の係合アーム１１２が収容されて、また、前記通孔２６、３６の内壁に係止部１１３に係合するための係止凸部２６０、３６０がそれぞれ形成される。
【００１４】
前記複数の導電端子４は、１０本の端子からなる第一端子列４１及び第二端子列４２を２列で有している。前記第一端子列４１は、第一固持部４１１と、第一固持部４１１の一端から前向きに延出する第一接触部４１２と、第一固持部４１１の他端から下向きに延出して前記第一本体２を突出する第一半田部４１３とをそれぞれ有している。前記第一固持部４１１は、第一本体２の第一収容溝２５に収容され、第一固持部４１１の先端が前記位置決め板１１１の通溝１１４により位置決めされ、前記第一接触部４１２は舌片１２の第二壁１２２に形成された端子溝１２４に収容され、且つ、第一本体２の第一凹部２３には前記第一接触部４１２に当接する凸部２３０が形成されている。
【００１５】
第二端子列４２の構造は、第一端子列４１とほぼ同じで、第二固持部４２１と、第二固持部４２１の一端から前向きに延出する第二接触部４２２と、第二固持部４２１の他端から下向きに延出して前記第二本体３を突出する第二半田部４２３とをそれぞれ有し、前記第二固持部４２１が第二本体２の第二収容溝３５に収容され、第二固持部４２１の先端が前記位置決め板１１１の通溝１１４により位置決めされ、前記第二接触部４２２は舌片１２の第一壁１２１に形成された端子溝１２４に収容され、且つ、第二本体３の第二凹部３３には前記第二接触部４２２に当接する凸部３３０が形成されている。
【００１６】
シェル５は、絶縁本体１、第一本体２及び第二本体３の外周を覆うと共に、シェル５の舌片１２を包囲することによって、相手コネクタ（図示せず）が挿入される挿入空間５０が形成されている。前記導電端子４の第一接触部４１２と第二接触部４２２とは、相手コネクタの導電端子に接続するために前記挿入空間５０に露出される。
【００１７】
電気コネクタ１００を組み立てる時に、先ず、前記第一端子列４１を第一本体２に装着し、第二端子列４２を第二本体３に装着する。次に、舌片１２の厚さ方向に沿って、絶縁本体１を前記第一本体２に組み付ける。次に、前記第二端子列４２と第二本体３との組立体を前記絶縁本体１と第一本体２と第一端子列４１との組立体に組み付ける。この時、第一本体２の第一凸部２２は前記第二本体３の第二収容溝３５に収容されて前記第二端子列４２の第二固持部４２１に当接すると共に、第二本体３の第二凸部３２は前記第一本体２の第一収容溝２５に収容されて前記第一端子列４１の第一固持部４１１に当接する。これによって、前記第一固持部４１１及び第二固持部４２１が前記第一本体２と第二本体３との間に挟まれて保持される。最後、前記シェル５を前記絶縁本体１と第一本体２と第二本体３とを覆うように組み付ける。
【００１８】
上記した電気コネクタ１００によれば、絶縁本体１の位置決め板１１１が前記第一本体２と第二本体３により保持され、絶縁本体１と第一本体２と第二本体３との組立体が安定化し、絶縁本体１のがたつきを防止でき、電気コネクタ１００の安定性を向上させることができる。
【００１９】
以上、本考案について最良の実施の形態を参照して詳細に説明したが、実施形態はあくまでも例示的なものであり、これらに限定されない。また上述の説明は、本考案に基づきなしうる細部の修正或いは変更など、いずれも本考案の請求範囲に属するものとする。
【符号の説明】
【００２０】
１００  電気コネクタ
１  絶縁本体
１１  基部
１２  舌片
１１１位置決め板
２  第一本体
３  第二本体
４  導電端子
【図１】
0003170879.tif 000003
【図２】
0003170879.tif 000004
【図３】
0003170879.tif 000005
【図４】
0003170879.tif 000006
【図５】
0003170879.tif 000007
【図６】
0003170879.tif 000008